(57)【要約】      （修正有）【課題】ＰＣの画面編集ソフトウェア等に依存しなくても、表示画面をユーザの好みの画面にカスタマイズでき、特に表示画面に表示された操作キーを押下したときに遷移する下位の階層の表示画面をカスタマイズできる画像処理装置等を提供する。【解決手段】表示画面の編集モードにおいて、表示手段にカスタマイズ画面作成用のベース画面Ｄ２０を表示すると共に、ユーザによるベース画面への１つまたは複数の操作キーＫの配置操作及び／または配置された操作キーの変更操作を受け付けて、カスタマイズ画面を設定する。またユーザの操作に基づいて、前記設定されたカスタマイズ画面に表示される前記少なくとも１つの操作キーが押下されたときに遷移する下位階層の画面を設定する。【選択図】図１４
2011138437.tif 000002
【特許請求の範囲】
【請求項１】
表示手段と、
画像処理装置の動作モードを、通常動作モードから表示画面の編集モードに移行させる操作手段と、
前記操作手段により移行された表示画面の編集モードにおいて、前記表示手段にカスタマイズ画面作成用のベース画面を表示すると共に、ユーザによる前記ベース画面への１つまたは複数の操作キーの配置操作及び／または配置された操作キーの変更操作を受け付けて、カスタマイズ画面を設定し、かつユーザの操作に基づいて、前記設定されたカスタマイズ画面に表示される前記少なくとも１つの操作キーが押下されたときに遷移する下位階層の画面を設定する表示画面編集手段と、
通常動作モードにおいて、前記表示画面編集手段により設定された前記カスタマイズ画面及び／または前記下位階層の画面を前記表示手段に表示させる表示制御手段と、
を備えたことを特徴とする画像処理装置。
【請求項２】
前記表示画面編集手段は、前記設定された下位階層の画面に表示される少なくとも１つの操作キーが押下されたときに遷移するさらに下位階層の画面を、ユーザの操作に基づいて設定することにより、複数層にまたがる下位階層の画面を設定する請求項１に記載の画像処理装置。
【請求項３】
１個または複数個のハードキーを備え、
前記表示画面編集手段は、表示画面の編集モードにおいて、ユーザの操作に基づいて画像処理装置の機能を前記いずれかのハードキーへ割り当てる請求項１または２に記載の画像処理装置。
【請求項４】
前記ベース画面への１つまたは複数の操作キーの配置は、ベース画面外に表示された操作キーのベース画面へのドラグアンドドロップにより行われ、前記操作キーの変更は、ベース画面に配置された操作キーの削除、操作キーのサイズ変更、操作キーの名称変更、操作キーの配置位置の変更の少なくともいずれかである請求項１〜３のいずれかに記載の画像処理装置。
【請求項５】
前記設定されたカスタマイズ画面及び／または下位階層の画面のデータを外部に出力する出力手段をさらに備えている請求項１〜４のいずれかに記載の画像処理装置。
【請求項６】
前記表示画面編集手段により設定されるカスタマイズ画面の構成を示す情報を生成する情報生成手段と、生成された情報を記憶する記憶手段をさらに備えている請求項１〜５のいずれかに記載の画像処理装置。
【請求項７】
画像処理装置の動作モードを、通常動作モードから表示画面の編集モードに移行させるステップと、
前記移行された表示画面の編集モードにおいて、表示手段にカスタマイズ画面作成用のベース画面を表示すると共に、ユーザによる前記ベース画面への１つまたは複数の操作キーの配置操作及び／または配置された操作キーの変更操作を受け付けて、カスタマイズ画面を設定し、かつユーザの操作に基づいて、前記設定されたカスタマイズ画面に表示される前記少なくとも１つの操作キーが押下されたときに遷移する下位階層の画面を設定する表示画面編集ステップと、
通常動作モードにおいて、前記表示画面の編集ステップにおいて設定された前記カスタマイズ画面及び／または前記下位階層の画面を前記表示手段に表示させる表示制御ステップと、
を備えたことを特徴とする画像処理装置における表示画面のカスタマイズ方法。
【請求項８】
前記表示画面編集ステップでは、前記設定された下位階層の画面に表示される少なくとも１つの操作キーが押下されたときに遷移するさらに下位階層の画面を、ユーザの操作に基づいて設定することにより、複数層にまたがる下位階層の画面を設定する請求項７に記載のカスタマイズ方法。
【請求項９】
前記表示画面編集ステップでは、表示画面の編集モードにおいて、ユーザの操作に基づいて画像処理装置の機能を１個または複数個のハードキーのうちのいずれかのハードキーへ割り当てる請求項７または８に記載のカスタマイズ方法。
【請求項１０】
前記ベース画面への１つまたは複数の操作キーの配置は、ベース画面外に表示された操作キーのベース画面へのドラグアンドドロップにより行われ、前記操作キーの変更は、ベース画面に配置された操作キーの削除、操作キーのサイズ変更、操作キーの名称変更、操作キーの配置位置の変更の少なくともいずれかである請求項７〜９のいずれかに記載のカスタマイズ方法。
【請求項１１】
前記設定されたカスタマイズ画面及び／または下位階層の画面のデータを外部に出力する出力ステップをさらに備えている請求項７〜１０のいずれかに記載のカスタマイズ方法。
【請求項１２】
前記表示画面編集ステップにおいて設定されるカスタマイズ画面の構成を示す情報を生成する情報生成ステップと、生成された情報を記憶手段に記憶するステップをさらに備えている請求項７〜１１のいずれかに記載のカスタマイズ方法。
【請求項１３】
画像処理装置の動作モードを、通常動作モードから表示画面の編集モードに移行させるステップと、
前記移行された表示画面の編集モードにおいて、表示手段にカスタマイズ画面作成用のベース画面を表示すると共に、ユーザによる前記ベース画面への１つまたは複数の操作キーの配置操作及び／または配置された操作キーの変更操作を受け付けて、カスタマイズ画面を設定し、かつユーザの操作に基づいて、前記設定されたカスタマイズ画面に表示される前記少なくとも１つの操作キーが押下されたときに遷移する下位階層の画面を設定する表示画面編集ステップと、
通常動作モードにおいて、前記表示画面編集ステップにおいて設定された前記カスタマイズ画面及び／または前記下位階層の画面を前記表示手段に表示させる表示制御ステップと、
を画像処理装置のコンピュータに実行させるためのカスタマイズプログラム。
【請求項１４】
前記表示画面編集ステップでは、前記設定された下位階層の画面に表示される少なくとも１つの操作キーが押下されたときに遷移するさらに下位階層の画面を、ユーザの操作に基づいて設定することにより、複数層にまたがる下位階層の画面を設定する処理をさらにコンピュータに実行させる請求項１３に記載のカスタマイズプログラム。
【請求項１５】
前記表示画面編集ステップでは、表示画面の編集モードにおいて、ユーザの操作に基づいて画像処理装置の機能を１個または複数個のハードキーのうちのいずれかのハードキーへ割り当てる処理をさらにコンピュータに実行させる請求項１３または１４に記載のカスタマイズプログラム。
【請求項１６】
前記ベース画面への１つまたは複数の操作キーの配置は、ベース画面外に表示された操作キーのベース画面へのドラグアンドドロップにより行われ、前記操作キーの変更は、ベース画面に配置された操作キーの削除、操作キーのサイズ変更、操作キーの名称変更、操作キーの配置位置の変更の少なくともいずれかである請求項１３〜１５のいずれかに記載のカスタマイズプログラム。
【請求項１７】
前記設定されたカスタマイズ画面及び／または下位階層の画面のデータを外部に出力する出力ステップをさらにコンピュータに実行させる請求項１３〜１６のいずれかに記載のカスタマイズプログラム。
【請求項１８】
前記表示画面編集ステップにおいて設定されるカスタマイズ画面の構成を示す情報を生成する情報生成ステップと、生成された情報を記憶手段に記憶するステップをさらにコンピュータに実行させる請求項１３〜１７のいずれかに記載のカスタマイズプログラム。
【発明の詳細な説明】
【技術分野】
【０００１】
この発明は、操作パネル部等の表示手段に表示される動作モード設定画面等の表示画面を、ユーザが好みの画面にカスタマイズすることができる画像処理装置、同装置における表示画面のカスタマイズ方法及びカスタマイズプログラムに関する。
【背景技術】
【０００２】
近年、ＭＦＰ（Multi Function Peripherals）と称される多機能デジタル画像形成装置等の画像処理装置では、各種の動作モードを設定するための動作モード設定キー等の操作キーを、操作パネル部の動作モード設定画面等の表示画面上に表示し、ユーザが所望の機能を使用する場合には、対応する動作モード設定画面を表示し、画面上に表示された操作キーを選択する等して、動作モードの設定操作等を行うものとなされている。
【０００３】
ユーザの多くは、ＭＦＰに搭載された多くの機能の中で基本機能のみを使用するか、あるいは装置を利用する環境やユーザの業務に応じて利用する機能はある程度決まっている。しかし、操作パネル部の表示画面に表示される操作キーが多いと、利用したい目的の機能のキーと不必要な機能のキーとが混在して、それらが分かりにくかったり、目的の機能を操作するための操作手順が多くなってしまうといった問題がある。
【０００４】
そこで、ユーザのパーソナルコンピュータ（以下、ＰＣという）にＭＦＰの画面編集用のソフトウェアを格納し、ユーザが、その画面編集用のソフトウェアを使用して自身が使いやすいパネル表示画面を作成し、この作成した編集データをＭＦＰの表示部の画面に表示させるようにして、ＭＦＰの表示画面をカスタマイズする技術が開発されている。
【０００５】
また、操作パネルの表示画面毎に配置・表示される表示部品の構成情報および表示部品用配置情報を管理する管理手段と、表示部品毎の表示データを管理する表示部品管理手段と、表示対象の表示画面に対応した構成情報および表示部品用配置情報ならびに該構成情報に定義された表示部品の表示部品データを取得し、取得した表示部品を部品配置情報に基づいて配置することにより当該表示画面を表示させる表示制御手段と、表示画面の編集指示の入力に応じて、少なくとも編集対象とされた表示画面に対応する構成情報を変更する編集手段とを備えた画像形成装置も提案されている（例えば、特許文献１参照）。
【先行技術文献】
【特許文献】
【０００６】
【特許文献１】特開２００８−１４７９６１号公報
【発明の概要】
【発明が解決しようとする課題】
【０００７】
ところが、ユーザがＰＣで作成した編集データをＭＦＰの画面で表示させる場合、ＰＣ上で設定した色がＭＦＰの画面では多少違った感じになったり、既存のデザインと違った出来上がりとなってしまうことがある。特に、表示画面に表示された操作キーを押下したときに遷移する下位の階層の表示画面を作成しようとする場合には、ある程度の高いスキルのソフトウェア技術や知識が不可欠となり、このようなソフトウェア技術や知識を持ち合わせていない一般的なユーザにとっては、上記した下位階層の表示画面のカスタマイズのように、表示画面のカスタマイズは困難であった。
【０００８】
一方、前記特許文献１に記載の画像形成装置では、表示画面毎のカスタマイズは可能であるが、やはり、操作キーを押下したときに遷移する下位の階層の表示画面を作成することはできなかった。
【０００９】
この発明は、上記実情に鑑みてなされたものであり、ＰＣの画面編集ソフトウェア等に依存しなくても、操作パネル等の表示画面をユーザの好みの画面にカスタマイズでき、特に表示画面に表示された操作キーを押下したときに遷移する下位の階層の表示画面をカスタマイズすることができる画像処理装置及び同装置における表示画面のカスタマイズ方法を提供し、さらには前記方法を画像処理装置のコンピュータに実行させるためのカスタマイズプログラムを提供することを課題としている。
【課題を解決するための手段】
【００１０】
上記課題は、以下の手段によって解決される。
（１）表示手段と、画像処理装置の動作モードを、通常動作モードから表示画面の編集モードに移行させる操作手段と、前記操作手段により移行された表示画面の編集モードにおいて、前記表示手段にカスタマイズ画面作成用のベース画面を表示すると共に、ユーザによる前記ベース画面への１つまたは複数の操作キーの配置操作及び／または配置された操作キーの変更操作を受け付けて、カスタマイズ画面を設定し、かつユーザの操作に基づいて、前記設定されたカスタマイズ画面に表示される前記少なくとも１つの操作キーが押下されたときに遷移する下位階層の画面を設定する表示画面編集手段と、通常動作モードにおいて、前記表示画面編集手段により設定された前記カスタマイズ画面及び／または前記下位階層の画面を前記表示手段に表示させる表示制御手段と、を備えたことを特徴とする画像処理装置。
（２）前記表示画面編集手段は、前記設定された下位階層の画面に表示される少なくとも１つの操作キーが押下されたときに遷移するさらに下位階層の画面を、ユーザの操作に基づいて設定することにより、複数層にまたがる下位階層の画面を設定する前項１に記載の画像処理装置。
（３）１個または複数個のハードキーを備え、前記表示画面編集手段は、表示画面の編集モードにおいて、ユーザの操作に基づいて画像処理装置の機能を前記いずれかのハードキーへ割り当てる前項１または２に記載の画像処理装置。
（４）前記ベース画面への１つまたは複数の操作キーの配置は、ベース画面外に表示された操作キーのベース画面へのドラグアンドドロップにより行われ、前記操作キーの変更は、ベース画面に配置された操作キーの削除、操作キーのサイズ変更、操作キーの名称変更、操作キーの配置位置の変更の少なくともいずれかである前項１〜３のいずれかに記載の画像処理装置。
（５）前記設定されたカスタマイズ画面及び／または下位階層の画面のデータを外部に出力する出力手段をさらに備えている請求項１〜４のいずれかに記載の画像処理装置。
（６）前記表示画面編集手段により設定されるカスタマイズ画面の構成を示す情報を生成する情報生成手段と、生成された情報を記憶する記憶手段をさらに備えている前項１〜５のいずれかに記載の画像処理装置。
（７）画像処理装置の動作モードを、通常動作モードから表示画面の編集モードに移行させるステップと、前記移行された表示画面の編集モードにおいて、表示手段にカスタマイズ画面作成用のベース画面を表示すると共に、ユーザによる前記ベース画面への１つまたは複数の操作キーの配置操作及び／または配置された操作キーの変更操作を受け付けて、カスタマイズ画面を設定し、かつユーザの操作に基づいて、前記設定されたカスタマイズ画面に表示される前記少なくとも１つの操作キーが押下されたときに遷移する下位階層の画面を設定する表示画面編集ステップと、通常動作モードにおいて、前記表示画面の編集ステップにおいて設定された前記カスタマイズ画面及び／または前記下位階層の画面を前記表示手段に表示させる表示制御ステップと、を備えたことを特徴とする画像処理装置における表示画面のカスタマイズ方法。
（８）前記表示画面編集ステップでは、前記設定された下位階層の画面に表示される少なくとも１つの操作キーが押下されたときに遷移するさらに下位階層の画面を、ユーザの操作に基づいて設定することにより、複数層にまたがる下位階層の画面を設定する前項７に記載のカスタマイズ方法。
（９）前記表示画面編集ステップでは、表示画面の編集モードにおいて、ユーザの操作に基づいて画像処理装置の機能を１個または複数個のハードキーのうちのいずれかのハードキーへ割り当てる前項７または８に記載のカスタマイズ方法。
（１０）前記ベース画面への１つまたは複数の操作キーの配置は、ベース画面外に表示された操作キーのベース画面へのドラグアンドドロップにより行われ、前記操作キーの変更は、ベース画面に配置された操作キーの削除、操作キーのサイズ変更、操作キーの名称変更、操作キーの配置位置の変更の少なくともいずれかである前項７〜９のいずれかに記載のカスタマイズ方法。
（１１）前記設定されたカスタマイズ画面及び／または下位階層の画面のデータを外部に出力する出力ステップをさらに備えている前項７〜１０のいずれかに記載のカスタマイズ方法。
（１２）前記表示画面編集ステップにおいて設定されるカスタマイズ画面の構成を示す情報を生成する情報生成ステップと、生成された情報を記憶手段に記憶するステップをさらに備えている前項７〜１１のいずれかに記載のカスタマイズ方法。
（１３）画像処理装置の動作モードを、通常動作モードから表示画面の編集モードに移行させるステップと、前記移行された表示画面の編集モードにおいて、表示手段にカスタマイズ画面作成用のベース画面を表示すると共に、ユーザによる前記ベース画面への１つまたは複数の操作キーの配置操作及び／または配置された操作キーの変更操作を受け付けて、カスタマイズ画面を設定し、かつユーザの操作に基づいて、前記設定されたカスタマイズ画面に表示される前記少なくとも１つの操作キーが押下されたときに遷移する下位階層の画面を設定する表示画面編集ステップと、通常動作モードにおいて、前記表示画面編集ステップにおいて設定された前記カスタマイズ画面及び／または前記下位階層の画面を前記表示手段に表示させる表示制御ステップと、を画像処理装置のコンピュータに実行させるためのカスタマイズプログラム。
（１４）前記表示画面編集ステップでは、前記設定された下位階層の画面に表示される少なくとも１つの操作キーが押下されたときに遷移するさらに下位階層の画面を、ユーザの操作に基づいて設定することにより、複数層にまたがる下位階層の画面を設定する処理をさらにコンピュータに実行させる前項１３に記載のカスタマイズプログラム。
（１５）前記表示画面編集ステップでは、表示画面の編集モードにおいて、ユーザの操作に基づいて画像処理装置の機能を１個または複数個のハードキーのうちのいずれかのハードキーへ割り当てる処理をさらにコンピュータに実行させる前項１３または１４に記載のカスタマイズプログラム。
（１６）前記ベース画面への１つまたは複数の操作キーの配置は、ベース画面外に表示された操作キーのベース画面へのドラグアンドドロップにより行われ、前記操作キーの変更は、ベース画面に配置された操作キーの削除、操作キーのサイズ変更、操作キーの名称変更、操作キーの配置位置の変更の少なくともいずれかである前項１３〜１５のいずれかに記載のカスタマイズプログラム。
（１７）前記設定されたカスタマイズ画面及び／または下位階層の画面のデータを外部に出力する出力ステップをさらにコンピュータに実行させる前項１３〜１６のいずれかに記載のカスタマイズプログラム。
（１８）前記表示画面編集ステップにおいて設定されるカスタマイズ画面の構成を示す情報を生成する情報生成ステップと、生成された情報を記憶手段に記憶するステップをさらにコンピュータに実行させる前項１３〜１７のいずれかに記載のカスタマイズプログラム。
【発明の効果】
【００１１】
前項（１）に記載の発明によれば、ユーザが、画像処理装置を通常動作モードから表示画面の編集モードに移行させると、表示手段にカスタマイズ画面作成用のベース画面が表示される。ユーザが、前記ベース画面への１つまたは複数の操作キーの配置操作及び／または配置された操作キーの変更操作を行いカスタマイズ画面を作成すると、これを受け付けて、カスタマイズ画面を設定する。また、ユーザの操作に基づいて、前記設定されたカスタマイズ画面に表示される少なくとも１つの操作キーが押下されたときに遷移する下位階層の画面が設定される。
【００１２】
従って、ユーザは表示画面をユーザの好みの画面にカスタマイズできるのに加えて、カスタマイズ画面に表示された操作キーを押下したときに遷移する下位階層の画面を、ＰＣの編集ソフトウェア等を十分に使えなくても、画像処理装置での簡単な操作でカスタマイズすることができる。
【００１３】
前項（２）に記載の発明によれば、複数層にまたがって下位階層の画面をカスタマイズすることができる。
【００１４】
前項（３）に記載の発明によれば、ユーザは、画像処理装置の機能をいずれかのハードキーへ割り当てることができる。
【００１５】
前項（４）に記載の発明によれば、ユーザは、ベース画面外に表示された操作キーのベース画面へのドラグアンドドロップによりベース画面への１つまたは複数の操作キーの配置を行うことができ、さらに、ベース画面に配置された操作キーの削除、操作キーのサイズ変更、操作キーの名称変更、操作キーの配置位置の変更の少なくともいずれかを行うことができる。
【００１６】
前項（５）に記載の発明によれば、設定されたカスタマイズ画面及び／または下位階層の画面のデータを外部に出力することができる。
【００１７】
前項（６）に記載の発明によれば、カスタマイズ画面の構成を示す情報が生成され、生成された情報が記憶されるから、カスタマイズ画面を容易に特定でき表示手段に表示することができる。
【００１８】
前項（７）に記載の発明によれば、ユーザは表示画面をユーザの好みの画面にカスタマイズできるのに加えて、カスタマイズ画面に表示された操作キーを押下したときに遷移する下位階層の画面を、ＰＣの編集ソフトウェア等を十分に使えなくても、画像処理装置での簡単な操作でカスタマイズすることができる。
【００１９】
前項（８）に記載の発明によれば、複数層にまたがって下位階層の画面をカスタマイズすることができる。
【００２０】
前項（９）に記載の発明によれば、ユーザは、画像処理装置の機能をいずれかのハードキーへ割り当てることができる。
【００２１】
前項（１０）に記載の発明によれば、ユーザは、ベース画面外に表示された操作キーのベース画面へのドラグアンドドロップによりベース画面への１つまたは複数の操作キーの配置を行うことができ、さらに、ベース画面に配置された操作キーの削除、操作キーのサイズ変更、操作キーの名称変更、操作キーの配置位置の変更の少なくともいずれかを行うことができる。
【００２２】
前項（１１）に記載の発明によれば、設定されたカスタマイズ画面及び／または下位階層の画面のデータを外部に出力することができる。
【００２３】
前項（１２）に記載の発明によれば、カスタマイズ画面の構成を示す情報が生成され、生成された情報が記憶されるから、カスタマイズ画面を容易に特定でき表示手段に表示することができる。
【００２４】
前項（１３）に記載の発明によれば、表示画面の編集モードにおいて、表示手段にカスタマイズ画面作成用のベース画面を表示すると共に、ユーザによる前記ベース画面への１つまたは複数の操作キーの配置操作及び／または配置された操作キーの変更操作を受け付けて、カスタマイズ画面を設定するとともに、ユーザの操作に基づいて、前記設定されたカスタマイズ画面に表示される前記少なくとも１つの操作キーが押下されたときに遷移する下位階層の画面を設定し、通常動作モードにおいて、前記設定された前記カスタマイズ画面及び／または前記下位階層の画面を前記表示手段に表示させる処理を、画像処理装置のコンピュータに実行させることができる。
【００２５】
前項（１４）に記載の発明によれば、登録された下位階層の画面に表示される少なくとも１つの操作キーが押下されたときに遷移するさらに下位階層の画面を、ユーザの操作に基づいて設定することにより、複数層にまたがる下位階層の画面を設定する処理をさらにコンピュータに実行させることができる。
【００２６】
前項（１５）に記載の発明によれば、ユーザの操作に基づいて画像処理装置の機能を１個または複数個のハードキーのうちのいずれかのハードキーへ割り当てる処理をコンピュータに実行させることができる。
【００２７】
前項（１６）に記載の発明によれば、ベース画面への１つまたは複数の操作キーの配置は、ベース画面外に表示された操作キーのベース画面へのドラグアンドドロップにより行われ、前記操作キーの変更として、ベース画面に配置された操作キーの削除、操作キーのサイズ変更、操作キーの名称変更、操作キーの配置位置の変更の少なくともいずれかが行われる。
【００２８】
前項（１７）に記載の発明によれば、設定されたカスタマイズ画面及び／または下位階層の画面のデータを外部に出力する出力ステップをさらにコンピュータに実行させることができる。
【００２９】
前項（１８）に記載の発明によれば、カスタマイズ画面の構成を示す情報を生成する情報生成ステップと、生成された情報を記憶手段に記憶するステップをさらにコンピュータに実行させることができる。
【図面の簡単な説明】
【００３０】
【図１】この発明の一実施形態に係る画像処理装置であるＭＦＰの操作パネルを示す平面図である。
【図２】同じくＭＦＰの電気的構成を示すブロック図である。
【図３】同じくＭＦＰの基本動作処理を示すフローチャートである。
【図４】（Ａ）は操作パネルにおける編集画面にカスタマイズ画面作成用のベース画面が表示された状態を概念的に示す図、（Ｂ）は同じくベース画面に操作キーが配置された状態を示す図である。
【図５】ユーザによって作成された基本設定画面についての登録情報を示す表である。
【図６】図５の基本設定画面の下位階層の画面についての登録情報を示す表である。
【図７】（Ａ）は画面編集モードに移行するためのモード選択画面を示す図、（Ｂ）は同じくモード選択画面で「画面編集」キーを押下した際に遷移する表示画面の編集モードおける編集画面を示す図である。
【図８】（Ａ）はベース画面に新たな操作キーを追加配置するための操作の説明図、（Ｂ）は追加配置後の画面を示す図である。
【図９】（Ａ）はベース画面に配置した操作キーのサイズを変更する操作の説明図、（Ｂ）はサイズ変更後の画面を示す図である。
【図１０】（Ａ）はベース画面に配置した操作キーを削除する操作の説明図、（Ｂ）は削除後の画面を示す図である。
【図１１】（Ａ）はベース画面に配置した操作キーを移動するための操作の説明図、（Ｂ）は移動後の画面を示す図である。
【図１２】（Ａ）はベース画面に配置した操作キー内の文字列の変更操作の説明図、（Ｂ）は文字列の変更操作時に表示されるキーボードの画面を示す図、（Ｃ）は文字列変更後の画面を示す図である。
【図１３】（Ａ）はハードキーに別の機能の割り当てを行う場合の説明図、（Ｂ）は図（Ａ）における「ハードキー」を押下した後の画面を示す図、（Ｃ）は機能割り当て後の画面を示す図である。
【図１４】（Ａ）はベース画面に配置された操作キーが押されたときの画面遷移先を設定する操作の説明図、（Ｂ）は図（Ａ）における「画面遷移」キーが押下されたときの画面を示す図である。
【図１５】同じく画面遷移先を変更する場合の操作の説明図である。
【図１６】（Ａ）は編集画面において作成したカスタマイズ画面の通常動作モードでの表示状態の確認を行うための操作説明図、（Ｂ）は通常動作モードでのカスタマイズ画面の表示状態を示す図である。
【図１７】（Ａ）は作成したカスタマイズ画面を確定させるときの操作説明図、（Ｂ）は同じく作成したカスタマイズ画面を外部へ出力するときの操作説明図である。
【発明を実施するための形態】
【００３１】
次に、この発明の一実施形態を図面に基づいて説明する。
【００３２】
図１は、この発明の一実施形態に係る画像処理装置としてのＭＦＰにおける操作パネルを示す平面図である。
【００３３】
図１において、操作パネル１は、表示部２と操作部３とを備えている。
【００３４】
前記表示部２は、タッチパネル式の液晶表示装置等により構成されている。
【００３５】
前記操作部３は、例えば第１、第２および第３のハードキー部４，５，６を有している。
【００３６】
第１のハードキー部４は、スタートキー４１、テンキー４２、およびヘルプキー等の補助キー４３とを備えている。
【００３７】
第２のハードキー部５は、リセットキー等を有しており、また、第３のハードキー部６はプログラムキー６１等を有している。
【００３８】
図２は、ＭＦＰの電気的構成を示すブロック図である。
【００３９】
図２において、このＭＦＰは、制御基板１０に搭載されたＣＰＵ１１と、通信インターフェース（Ｉ／Ｆ）部１２と、ＲＯＭ１３と、ＲＡＭ１４と、ＥＥＰＲＯＭ１５と、ハードディスク装置（ＨＤＤ）１６と、ファクシミリ（ＦＡＸともいう）部１７と、カードインターフェース（Ｉ／Ｆ）１８と、自動原稿搬送装置（ＡＤＦ）２０と、原稿読取部２１と、画像形成部２２と、給紙部２３と、前記操作パネル１とを備えている。
【００４０】
前記ＣＰＵ１１は、ＭＦＰの全体の動作を統括的に制御する他に、表示画面の編集モードにおいて、表示部２に表示される表示画面に関する編集が行えるカスタマイズ機能も有している。
【００４１】
前記通信Ｉ／Ｆ部１２は、ＰＣ等の外部機器との間での通信を司るインターフェースである。
【００４２】
前記ＲＯＭ１３は、ＣＰＵ１１の動作プログラム等を格納した読み出し専用のメモリである。
【００４３】
前記ＲＡＭ１４は、ＣＰＵ１１がＲＯＭ１３等に格納された動作プログラムに従って動作する際の作業領域を提供するメモリである。
【００４４】
前記ＥＥＰＲＯＭ１５は、ユーザによって作成された表示画面（カスタマイズ画面）のデータ等を記憶するデータ消去可能なメモリである。
【００４５】
前記ＨＤＤ１６は、各種ソフトウェアやデータを格納する記憶手段である。
【００４６】
前記ＦＡＸ部１７は、電話回線等を利用して外部ＦＡＸ装置との間で画像データの授受を行う機能を有するものである。
【００４７】
前記カードＩ／Ｆ１８は、各種の可搬形記憶媒体、例えばフラッシュメモリ１９が抜き差しできるように構成されており、フラッシュメモリ１９に対してデータの書き込み／読み出しを司るインターフェースである。
【００４８】
前記ＡＤＦ２０は、原稿を原稿台上の原稿読取部２１による読み取り位置へと自動搬送するものである。
【００４９】
前記原稿読取部２１は、原稿台上に載置されあるいは前記ＡＤＦで搬送される原稿の画像を読み取り、電気信号である画像データに変換して図示しない画像処理部に送出するものである。
【００５０】
前記画像形成部２２は、図示しない露光部、現像部、転写部および定着部等を有し、画像データを用紙にプリントするものである。
【００５１】
前記給紙部２３は、用紙を画像形成部２２に供給するものである。
【００５２】
図３は、ＭＦＰの基本動作処理を示すフローチャートである。この動作は、ＣＰＵ１１がＲＯＭ１２等の記録媒体に記録された動作プログラムに従って動作することにより実行される。
【００５３】
図３において、ステップＳ１では、初期化処理を行い、ステップＳ２では、アイドル状態への移行処理を行う。ステップＳ３では、定時処理を行う。
【００５４】
ステップＳ４では、入力イベントがあるか否かを判断し、入力イベントがあれば（ステップＳ４の判断がＹＥＳ）、ステップＳ５で、入力に応じたイベント処理を行ったのち、ステップＳ３に戻る。入力イベントとしては、ユーザによるコピー、ファクシミリ等の操作の他、表示画面の編集モードへの移行操作も含まれ、表示画面の編集モードへの移行操作が行われると、ステップＳ５で、カスタマイズ画面の編集動作が行われる。
【００５５】
ステップＳ４で、入力イベントがなければ（ステップＳ４の判断がＮＯ）、そのままステップＳ３に戻る。
【００５６】
図４（Ａ）は、前記表示部２に表示された編集画面Ｄに、カスタマイズ画面作成用のベース画面Ｄ０が表示された状態を概念的に示す図であり、また、図４（Ｂ）は、同じくベース画面Ｄ０に動作モード設定用の操作キーが配置された状態を示す図である。
【００５７】
図４（Ａ），（Ｂ）に示すベース画面Ｄ０において、操作キー１、操作キー２、操作キー３、操作キー４の各コードを入力すると、画面Ｄ０には、図４（Ｂ）に示すように、各コードに対応する操作キーがそれぞれ表示され、カスタマイズ画面が作成される。作成されたカスタマイズ画面は、ベース用画面Ｄ０のコードと各操作キー１〜４のコードを含む情報として、ＥＥＰＲＯＭ１５等に登録される。
【００５８】
図５は、ユーザによって作成されたカスタマイズ画面の一例としての基本設定画面の構成（内容）を示す情報である登録情報を示す表である。図５の表には、この基本設定画面に表示される各操作キーについて、「コード」、「機能名称」、「表示文字列」、「アイコン（Icon) 」、「システムＡＰＩ（Application Program Interface)」、「サイズ」、「画面遷移」等の項目が設けられている。
【００５９】
「コード」は操作キーの番号を示すものであり、「機能名称」は例えば「コピー」、「スキャン」、「ＦＡＸ」・・・等の基本機能を表示するものである。
【００６０】
「表示文字列」は、言語テーブルの中のどの文字列が割り当てられているかを示すものであり、「アイコン（Icon) 」は表示される当該操作キーのアイコンがどのアイコンテーブルに割り当てられているかを示し、「システムＡＰＩ」は当該操作キーで実行される機能がどのＡＰＩを利用しているかを示す項目である。
【００６１】
また「サイズ」は当該操作キーの大きさを示し、「画面遷移」は当該操作キーが押されたときに遷移する下位階層の画面を示すものである。
【００６２】
この実施形態では、基本設定画面として、コード１の「コピー」、コード２の「スキャン」、コード３の「ＦＡＸ」という名称の複数の操作キーが表示されることが示され、例えば「コピー」という名称の操作キーは、その機能であるコピー機能が「API1」を利用して実現されるとともに、この操作キーが押下されると「Ｈ」という画面に遷移することが示されている。
【００６３】
なお、図５には表示されていないが、ベース画面Ｄ０における操作キーの配置に関する座標も登録情報として記憶されている。
【００６４】
図６は、図５の基本設定画面において、操作キー「コピー」が押されたときに遷移する下位階層の画面Ｈの登録情報（図６では「Ｃｏｐｙ設定」と記されている）と、操作キー「スキャン」が押されたときに遷移する画面Ｉの登録情報（図６では「Ｓｃａｎ設定」と記されている）を示す表である。
【００６５】
下位階層の画面Ｈであるコピー設定画面には、「部数」、「給紙トレイ」、「集約」、「ステープル」等の名称の各操作キーが表示されるものとなされており、下位階層の画面Ｉであるスキャン設定画面には、「宛先選択」、「Email 宛先」、「ＳＭＢ宛先」、「ＦＴＰ宛先」、「ファイルフォーマット」、「Jpeg」、「ＰＤＦ」等の名称の各操作キーが表示されるものとなされている。そして、各操作キー毎に、図５と同様に「コード」、「機能名称」、「表示文字列」、「アイコン（Icon) 」、「システムＡＰＩ」、「サイズ」、「画面遷移」等の項目が設けられている。なお、画面遷移先がない操作キーについては「画面遷移」の項目については「なし」が設定されている。
【００６６】
なお、図６においても図５の場合と同様に、ベース画面Ｄ０における操作キーの配置に関する座標も登録情報として記憶されている。
【００６７】
図７（Ａ）は、表示画面の編集モードに移行するためのモード選択画面Ｄ１を示す図である。
【００６８】
図７（Ａ）において、モード選択画面Ｄ１には、メインエリアＤ１１に「１．宛先・ボックス登録」、「２．ユーザ設定」、「３．管理者設定」、「４．消耗品確認」、「５．コントローラー詳細」、「６．長尺紙印刷」、「７．画面編集」の各操作キーが表示されている。
【００６９】
なお、このモード選択画面Ｄ１の左部領域Ｄ１２には、累積プリント枚数等が表示されている。
【００７０】
ユーザが前記メインエリアＤ１１における操作キー「７．画面編集」を押下すれば、表示画面の編集モードに移行し、表示部２には、図７（Ｂ）に示すように編集画面Ｄ２が表示される。
【００７１】
この編集画面Ｄ２には、カスタマイズ画面作成用のベース画面Ｄ２０が表示され、また編集画面Ｄ２の左部領域には、図５及び図６に示す表の「機能名称」に対応する「機能１」、「機能２」・・・等の複数個の機能選択キーが表示され、編集画面Ｄ２の下部領域には、「削除」、「カラー」、「文字編集」、「ハードキー」、「画面遷移」、「確認」、「ＯＫ」等の操作キーが表示されている。
【００７２】
ユーザは、ベース画面Ｄ２０に所望の操作キーを配置して、カスタマイズ画面を作成していく。
【００７３】
図８（Ａ）は、ベース画面Ｄ２０内に新たな操作キーを配置する際の操作の説明図である。
【００７４】
操作キーとして、ベース画面Ｄ２０外に表示されている例えば「機能３」をベース画面Ｄ２０に配置する場合、この実施形態では、「機能３」の操作キーを指やペンでタッチしてから、ドラッグアンドドロップ操作してベース画面Ｄ２０内に移動させれば、図８（Ｂ）に示すように、「機能３」の操作キーＫが簡単に配置される。なお、このベース画面Ｄ２０内に既に配置されている操作キーＫに追加して、新たな操作キーを配置する場合も同様である。
【００７５】
配置後、「ＯＫ」キーを押すことで、カスタマイズ画面が確定し、このカスタマイズ画面の構成を示す図５や図６に示されるような登録情報、即ち画面に配置される各操作キーについての「コード」、「機能名称」、「表示文字列」、「アイコン（Icon) 」、「システムＡＰＩ（Application Program Interface)」、「サイズ」、「画面遷移」、「配置座標」等の項目に対応する情報が生成され、生成された登録情報が項目別にＥＥＰＲＯＭ１５等に記憶・登録される。また、作成されたカスタマイズ画面の内容が後述するように変更されると、登録情報も更新される。
【００７６】
図９（Ａ）は、ベース画面Ｄ２０に配置されている操作キーＫのサイズを変更する場合の操作説明図である。
【００７７】
このベース画面Ｄ２０において、前記操作キーＫのサイズを変更したい場合には、操作キーＫの隅を指やペンでタッチして点線で示す所望のサイズになるように移動操作すれば、図９（Ｂ）に示すように、操作キーのサイズが変更して表示される。
【００７８】
図１０（Ａ）は、ベース画面Ｄ２０に配置した任意のキーを削除する操作の説明図であり、ベース画面Ｄ２０内に複数の操作キーＫ・・・が配置されている状態を示す。
【００７９】
このベース画面Ｄ２０において、任意のキーＫ（例えば、右端のキー）を削除したい場合には、そのキーＫを指やペンでタッチして選択した後（キー表示が点線に変わる）、前記編集画面Ｄ２の下部領域の「削除」キーを押下すれば、図１０（Ｂ）に示すように、当該操作キーがベース画面Ｄ２０から削除される。
【００８０】
図１１（Ａ）は、ベース画面Ｄ２０に配置したキーを移動するための操作説明図であり、ベース画面Ｄ２０内には、現在、例えば三つのキーＫ・・・が略一列に配置されている。
【００８１】
例えば左端の操作キーＫを点線で示すように右下に移動させたい場合には、当該操作キーＫを指やペンでタッチしてから右下にドラグすれば、図１１（Ｂ）に示すように、対応する操作キーＫが右下に移動配置される。
【００８２】
なお、編集画面Ｄ２の下部領域に表示されている「カラー」キーは、選択した部分の色を変更するのに使用される。具体的には、ベース画面Ｄ２０内の操作キーをタッチして「カラー」キーを選択すると、図示は省略したがカラー一覧が表示され、所定のカラーを選択することで、操作キーの色を変更できるものとなされている。また、ベース画面Ｄ２０内の操作キー以外の部分をタッチして「カラー」キーを選択すると、ベース画面Ｄ２０の色つまりカスタマイズ画面の色を変更することができる。
【００８３】
図１２（Ａ）は、ベース画面Ｄ２０に配置した操作キーＫ内の文字列の変更操作の説明図である。
【００８４】
このベース画面Ｄ２０内に配置された１つの操作キーＫの名称の文字列は、例えばカナで「コピー」となっている。この名称を、例えば英語の文字列に変更したい場合には、まず、その「コピー」キーＫを指やペンでタッチしてから、下部領域の「文字編集」キーを押下すれば、表示部２には、図１２（Ｂ）に示すようなキーボード画面が表示される。
【００８５】
このキーボード画面により、英語で「Ｃｏｐｙ」と入力すれば、「コピー」キーの名称が図１２（Ｃ）に示すように英語の「Ｃｏｐｙ」に変更される。
【００８６】
図１３（Ａ）は、編集画面Ｄ２において、操作パネル１におけるハードキー部４〜６に属するハードキーに、ユーザが所望する任意の機能の割り当てを行う場合の説明図である。
【００８７】
例えば、ハードキー部６の中のプログラムキー６１に、所望の機能を割り当てたい場合には、まず、編集画面Ｄ２の下部領域に表示されている操作キー「ハードキー」を押下すれば、図１３（Ｂ）に示す画面Ｄ２Ａに遷移し、そのベース画面Ｄ２０内に、「カスタマイズしたいハードキーを押した後、割り当てたい機能を選択して下さい。」のメッセージＤ２０ａが表示される。
【００８８】
この状態で、前記ハードキー部６の中のプログラムキー６１を押下した後、割り当てたい機能、例えば、図１３（Ｂ）の画面Ｄ２Ａの左部領域に表示されている「機能３」を指やペンでタッチして選択すれば、プログラムキー６１に「機能３」が割り当てられる。
【００８９】
その場合、図１３（Ｃ）に示すように、ベース画面Ｄ２０内には「プログラムキーに機能３を割り当てました。よろしければ、ＯＫを押して下さい。」というメッセージＤ２０ｂが表示される。
【００９０】
そこで、図１３（Ｃ）に示す画面Ｄ２Ａの下部領域に表示されている「ＯＫ」キーを押下すれば、プログラムキー６１の「機能３」への割り当てが実行される。このようにして、任意のハードキーをユーザの好みの仕様にカスタマイズすることができる。
【００９１】
図１４（Ａ）は、ベース画面Ｄ２０に配置された操作キーＫが押されたときの画面遷移先を設定する操作の説明図である。
【００９２】
ベース画面Ｄ２０に配置された「コピー」という操作キーＫの画面遷移先を設定する場合、まず、「コピー」キーＫを選択し、編集画面Ｄ２の下部領域に表示されている「画面遷移」キーを押下すれば、図１４（Ｂ）に示すように、遷移先画面Ｄ２１を有する遷移先設定画面Ｄ２Ｂが表示される。この状態で、遷移先設定画面Ｄ２Ｂの下部領域に表示されている「ＯＫ」キーを押下すれば、「コピー」キーＫの画面遷移先として画面Ｄ２１が設定されたのち、元の編集画面Ｄ２に戻る。
【００９３】
この遷移先設定画面Ｄ２Ｂの下部領域には、「遷移先画面変更」という操作キーが表示されており、遷移先画面を変更したい場合には、この「遷移先画面変更」キーを押下すると、図１５に示すような遷移先変更設定画面Ｄ２Ｃが表示される。
【００９４】
遷移先変更設定画面Ｄ２Ｃには、左部領域に、予めユーザにより作成されあるいはＭＦＰに予め用意されていた画面の名称を示す「画面名称１」〜「画面名称７」キーが表示され、さらに画面番号の入力部が表示されている。
【００９５】
「画面名称１」〜「画面名称７」キーを選択するか、画面番号を入力部に入力すれば、画面Ｄ２Ｃの右側領域に新たな遷移先の表示画面Ｄ２２が表示される。「ＯＫ」キーを押下すれば、遷移先画面が変更設定され、元の編集画面Ｄ２に戻る。
【００９６】
上記のようにして、いずれかの操作キーが押下されたときに遷移する下位階層の画面を、ＰＣの編集ソフトウェア等によらなくても、表示部２の画面上における簡単な操作でユーザがカスタマイズすることができる。
【００９７】
図１６は、ベース画面Ｄ２０の確認を行うための操作説明図である。
【００９８】
ベース画面Ｄ２０は、ＭＦＰの通常動作モードにおいては、ユーザが作成したカスタマイズ画面として表示部２に表示されることから、表示画面の編集モードにおいて、ユーザが通常動作モード時の表示状態を確認したい場合がある。この場合、ユーザは編集画面Ｄ２の下部領域に表示されている「確認」キーを押下する。すると、図１６（Ｂ）に示すように、ベース画面Ｄ２０が通常動作モードにおける表示サイズの画面Ｄ２３となり、ユーザはカスタマイズ画面の表示状態を確認することができる。
【００９９】
図１７（Ａ）は、編集画面Ｄ２で作成したカスタマイズ画面を確定させるときの操作説明図である。
【０１００】
ベース画面Ｄ２０における操作キーの配置、追加、サイズ変更、文字列の変更等の操作を行って、ユーザがカスタマイズ画面を作成した後、編集画面Ｄ２の下部領域に表示されている「ＯＫ」キーを押下すれば、カスタマイズ画面あるいは遷移先画面が確定する。次いで、図１７（Ｂ）に示すような画面名称入力画面Ｄ４に遷移する。
【０１０１】
この画面名称入力画面Ｄ４には、画面名称の入力欄や出力先のＵＲＬの入力欄が設けられている。
【０１０２】
画面名称を入力して「ＯＫ」キーを押下すれば、その画面のコード番号（画面番号）が自動作成されるとともに、カスタマイズ画面あるいは遷移先画面が、図５及び図６の表に示すようなデータ形式でＥＥＰＲＯＭ１５に登録され、これによりカスタマイズ画面あるいは遷移先画面が設定される。
【０１０３】
また、作成した画面のデータを外部に出力したい場合には、出力先のＵＲＬを入力したのち「コード出力」キーを押下すれば、前記設定された画面のデータがコード番号と共に指定された出力先、たとえば他のＭＦＰ等に送信される。
【０１０４】
また、前記画面のデータは、可搬形の記憶媒体、例えば前述したフラッシュメモリ１９等に格納して持ち運ぶことも可能である。
【０１０５】
出力先のＭＦＰ等では、この画面データを用いて画面の再度の編集が可能であるし、この画面をそのままユーザのカスタマイズ画面として使用することもできる。この場合、出力先のＭＦＰで使用できない機能については、対応する操作キーがグレイアウト表示されるようにしてもよい。
【符号の説明】
【０１０６】
１      操作パネル
２      表示部
４，５，６  ハードキー部
１１    ＣＰＵ
Ｄ２    編集画面
Ｄ２０  ベース画面
Ｋ      操作キー
【図１】
2011138437.tif 000003
【図２】
2011138437.tif 000004
【図３】
2011138437.tif 000005
【図４】
2011138437.tif 000006
【図５】
2011138437.tif 000007
【図６】
2011138437.tif 000008
【図７】
2011138437.tif 000009
【図８】
2011138437.tif 000010
【図９】
2011138437.tif 000011
【図１０】
2011138437.tif 000012
【図１１】
2011138437.tif 000013
【図１２】
2011138437.tif 000014
【図１３】
2011138437.tif 000015
【図１４】
2011138437.tif 000016
【図１５】
2011138437.tif 000017
【図１６】
2011138437.tif 000018
【図１７】
2011138437.tif 000019